(57)【要約】【課題】この発明は、地区窓表示方式と地区文字表示方式とに共用できる筐体構造とし、製造コスト、管理コスト、および表示方式の更新コストの増大を抑えることができる表示盤を得る。【解決手段】筐体２の上ケース３の前面には、第１乃至第３開口部４，５，６およびＬＥＤ挿通孔７が形成されている。地区文字表示方式を構成する液晶表示パネル２１およびＬＥＤ２２が実装された第１回路基板２０が上ケース３内に組み込まれる。このとき、液晶表示パネル２１の表示部２１ａが第１開口部４から視認され、ＬＥＤ２２が第２および第３開口部５，６から視認される。第１表示シート２６が枠８に嵌め込まれ、表示部２１ａが文字表示窓２８から視認され、ＬＥＤ２２がＬＥＤ表示窓２９から視認されるように上ケース３に装着される。さらに、保護プレート３０が枠８に嵌め込まれて第１表示シート２６上に重ねられて上ケース３に装着される。【選択図】図４
2011086173.tif 000002
【特許請求の範囲】
【請求項１】
建物に区分けされた各地区の状態をそれぞれ対応する表示窓および動作表示灯を用いて窓表示する地区窓表示方式と、選択された地区名、当該地区の状態を表示パネルを用いて文字表示窓に文字表示し、いずれかの地区で上記状態が発生していることを、代表表示として、表示窓および動作表示灯を用いて窓表示する地区文字表示方式とが選択、適用される表示盤であって、
上記地区文字表示方式を構成する上記表示パネルおよび上記動作表示灯が実装された第１回路基板、又は上記地区窓表示方式を構成する上記動作表示灯が実装される第２回路基板と、
上記第１回路基板、又は上記第２回路基板が組み込まれ、上記第１回路基板に実装された上記表示パネルの表示部および上記動作表示灯、および上記第２回路基板に実装された上記動作表示灯を視認可能な開口が前面に形成された筐体と、
上記開口を覆うように上記筐体の前面に着脱可能に装着され、上記第１回路基板に実装された上記表示パネルの表示部および上記動作表示灯に対応する上記文字表示窓および上記表示窓が形成された第１表示シート、又は上記第２回路基板に実装された上記動作表示灯に対応する上記表示窓が形成された第２表示シートと、
上記第１表示シート、又は上記第２表示シートの上に重ねられて上記筐体に着脱可能に装着される保護プレートと、を備えていることを特徴とする表示盤。
【請求項２】
上記開口は、上記第１表示シートに形成された上記文字表示窓および上記表示窓に対応する領域、および上記第２表示シートに形成された上記表示窓に対応する領域と重ならない位置で、複数の開口部に分割されていることを特徴とする請求項１記載の表示盤。
【請求項３】
枠が上記開口を取り囲むように上記筐体の前面に形成され、上記第１表示シート、又は上記第２表示シートが上記枠に嵌め込まれて上記筐体に装着され、上記保護プレートが上記枠に嵌め込まれて上記筐体に装着されていることを特徴とする請求項２記載の表示盤。
【発明の詳細な説明】
【技術分野】
【０００１】
この発明は、建物を地区分けし、各地区の状態、火災、ガス漏れなどを、それぞれ対応する窓を用いて窓表示する表示盤に関するものである。
【背景技術】
【０００２】
従来、火災報知設備に用いられる火災受信機は、建物の各地区に設置された火災感知器が火災を検知した場合に、該当する地区が火災であることを表示盤の盤面で表示して警報音を発して火災報知を行っていた。
【０００３】
従来の表示盤は、火災地区の記載がなされた窓用紙が嵌め込まれる方形の枠と、窓用紙に設定される複数の火災地区に対応する火災表示用ＬＥＤ、起動表示灯ＬＥＤ、および起動スイッチとしての押しボタンが配置される複数の挿通孔と、がそれぞれ形成された基台を有する。そして、火災地区の記載がなされた窓用紙が方形の枠に嵌め込まれ、火災表示用ＬＥＤ、起動表示灯ＬＥＤ、および押しボタンが対応する挿通孔に配置されて構成されている。従来の表示盤は、火災表示用ＬＥＤ、起動表示灯ＬＥＤ、および押しボタンが、窓用紙に記載された火災地区のそれぞれに対応するように配設され、火災表示用ＬＥＤ、および起動表示灯ＬＥＤの点灯により、当該地区の火災発生や当該地区の制御機器が起動中であることを知らせる（例えば、特許文献１参照）。
【先行技術文献】
【特許文献】
【０００４】
【特許文献１】特開２００３−１０９１３９号公報
【発明の概要】
【発明が解決しようとする課題】
【０００５】
火災受信機における表示盤における火災地区を表示する方式としては、液晶表示パネルやＬＥＤ表示パネルによる７セグメント表示やドットマトリックス表示を用いて火災地区を文字により示す地区文字表示方式と、全ての火災地区に対応する窓を盤面に並べて設け、ＬＥＤなどの動作表示灯を各窓に対応して設け、動作表示灯の点灯により火災などを示す地区窓表示方式とがある。
【０００６】
特許文献１に記載の従来の表示盤は、建物を地区分けして各地区の状態をそれぞれ対応する窓を用いて窓表示する地区窓表示方式に適用されるものであり、液晶表示パネルなどを用いて火災地区を文字により示す地区文字表示方式には適用されない。
そこで、地区窓表示方式用の表示盤用基台と地区文字表示方式用の表示盤用基台とを製造する専用の金型が必要となり、製造コストおよび管理コストが増大するという課題があった。
さらに、例えば既設の表示盤の表示方式を地区窓表示方式から地区文字表示方式に更新する場合には、表示盤全体を交換する必要があり、更新コストが増大するという課題もあった。
【０００７】
この発明は、上記の課題を解決するためになされたものであり、地区窓表示方式と地区文字表示方式とに共用できる筐体構造とし、製造コスト、管理コスト、および表示方式の更新コストの増大を抑えることができる表示盤を得ることを目的とする。
【課題を解決するための手段】
【０００８】
この発明による表示盤は、建物に区分けされた各地区の状態をそれぞれ対応する表示窓および動作表示灯を用いて窓表示する地区窓表示方式と、選択された地区名、当該地区の状態を表示パネルを用いて文字表示窓に文字表示し、いずれかの地区で上記状態が発生していることを、代表表示として、表示窓および動作表示灯を用いて窓表示する地区文字表示方式とが選択、適用される表示盤であって、上記地区文字表示方式を構成する上記表示パネルおよび上記動作表示灯が実装された第１回路基板、又は上記地区窓表示方式を構成する上記動作表示灯が実装される第２回路基板と、上記第１回路基板、又は上記第２回路基板が組み込まれ、上記第１回路基板に実装された上記表示パネルの表示部および上記動作表示灯、および上記第２回路基板に実装された上記動作表示灯を視認可能な開口が前面に形成された筐体と、上記開口を覆うように上記筐体の前面に着脱可能に装着され、上記第１回路基板に実装された上記表示パネルの表示部および上記動作表示灯に対応する上記文字表示窓および上記表示窓が形成された第１表示シート、又は上記第２回路基板に実装された上記動作表示灯に対応する上記表示窓が形成された第２表示シートと、上記第１表示シート、又は上記第２表示シートの上に重ねられて上記筐体に着脱可能に装着される保護プレートと、を備えている。
【発明の効果】
【０００９】
この発明によれば、開口が、第１回路基板に実装された表示パネルの表示部および上記動作表示灯、および第２回路基板に実装された動作表示灯を視認可能に筐体の前面に形成されているので、第１回路基板および第２回路基板を選択的に筐体に組み込むことができる。そこで、筐体が地区文字表示方式と地区窓表示方式とに兼用でき、表示方式ごとに専用の筐体を作製する必要がなくなり、両表示方式の筐体を作製する金型の共用化が図られ、製造コストおよび管理コストが削減することができる。
また、地区文字表示方式用の第１表示シートと地区窓表示方式用の第２表示シートとが筐体に着脱可能に装着されるので、表示盤の表示方式を他方の表示方式に更新する場合には、回路基板と表示シートとを交換すればよく、更新コストが低減される。
【図面の簡単な説明】
【００１０】
【図１】この発明の実施の形態１に係る表示盤を示す斜視図である。
【図２】この発明の実施の形態１に係る表示盤の第１表示シートおよび保護プレートを取り外した状態を示す斜視図である。
【図３】この発明の実施の形態１に係る表示盤の第１表示シートを示す正面図である。
【図４】この発明の実施の形態１に係る表示盤を表面側から見た分解斜視図である。
【図５】この発明の実施の形態１に係る表示盤を裏面側から見た分解斜視図である。
【図６】この発明の実施の形態２に係る表示盤を示す斜視図である。
【図７】この発明の実施の形態２に係る表示盤の第２表示シートおよび保護プレートを取り外した状態を示す斜視図である。
【図８】この発明の実施の形態２に係る表示盤の第２表示シートを示す正面図である。
【図９】この発明の実施の形態２に係る表示盤を表面側から見た分解斜視図である。
【発明を実施するための形態】
【００１１】
本発明の表示盤は、筐体を地区文字表示方式と地区窓表示方式とに共用できる構造とするものであり、地区文字表示方式を採用した実施の形態と地区窓表示方式を採用した実施の形態とを図面を用いて以下に説明する。
【００１２】
実施の形態１．
図１はこの発明の実施の形態１に係る表示盤を示す斜視図、図２はこの発明の実施の形態１に係る表示盤の第１表示シートおよび保護プレートを取り外した状態を示す斜視図、図３はこの発明の実施の形態１に係る表示盤の第１表示シートを示す正面図、図４はこの発明の実施の形態１に係る表示盤を表面側から見た分解斜視図、図５はこの発明の実施の形態１に係る表示盤を裏面側から見た分解斜視図である。
【００１３】
図１において、表示盤１は、例えば、火災受信機（図示せず）と信号線３５（図４に図示）を介してシリアルでつながっており、建物に区分けされた各地区の火災などの情報を報知するものである。表示盤１は、火災などの状態の変化などに基づいて、複数の地区の中から選択された地区名、当該地区の状態、試験結果などを液晶表示パネル２１を用いて文字表示窓２８に文字表示し、またいずれかの地区で前記状態が発生していることを示す代表表示など、システム全体に発生している各種の状態を代表表示するため、各種の状態に対応する表示窓２９と代表表示灯としての動作表示灯とを用いて窓表示（代表表示）する地区文字表示方式を採用しており、文字表示部４０、地区状態代表表示部４１、システム状態表示部４２が表示盤１の前面の上半分の領域に構成され、操作部４３が表示盤１の前面の下半分の領域に構成されている。
【００１４】
なお、地区状態代表表示部４１とシステム状態表示部４２とは、いずれかの地区で前記状態が発生していることを示す代表表示など、システム全体に発生している各種の状態を代表表示する部位であり、両者で「状態代表表示部」を構成する。
【００１５】
ここで、文字表示部４０とは、情報が液晶表示パネル２１により文字表示される部位であり、情報とは、選択された地区名、当該地区の火災や機器故障などの状態、当該地区の機器の試験結果などである。地区状態代表表示部４１とは、いずれかの地区で前記状態が発生していることを示す地区状態代表表示を行う部位であり、例えば「ＡＬＡＲＭ」（火災の発生）、「ＴＲＯＵＢＬＥ」（火災感知器などの機器の故障）などを動作表示灯の点灯により報知する部位である。システム状態表示部４２とは、火災受信機、即ちシステムの状態を動作表示灯の点灯により報知する部位である。例えば、「ＡＣ  ＰＯＷＥＲ」は火災受信機が交流電源動作時に点灯し、予備電源動作時に消灯し、「ＢＡＴＴＥＲＹ  ＴＲＯＵＢＬＥ」は火災受信機の予備電源異常時に点灯し、「ＧＲＯＵＮＤ  ＦＡＵＬＴ」は火災受信機の接地不良時に点灯する。操作部４３とは、火災受信機の動作などの設定などを行う部位である。また、操作部４３は、表示送り操作によって、液晶表示パネル２１に表示される地区を選択することができる。
【００１６】
表示盤１は、図２乃至図５に示されるように、情報を文字表示する液晶表示パネル２１、動作表示灯としてのＬＥＤ２２、操作部４３を構成するスイッチ２３などが実装された第１回路基板２０と、第１回路基板２０を収納する筐体２と、筐体２に着脱可能に装着され、液晶表示パネル２１の表示部２１ａおよびＬＥＤ２２の点灯を視認可能に構成された第１表示シート２６と、第１表示シート２６に重ねて筐体２に着脱可能に装着され、第１表示シート２６を保護する保護プレート３０と、筐体２に貼り付けられてスイッチ２３の機能表示をしてスイッチ位置を明示するメンブレンシート３３と、を備えている。
【００１７】
筐体２は、上ケース３と下ケース１５とから構成されている。
上ケース３は、裏面側を開口とする箱形に形成された樹脂成型品である。そして、上ケース３の前面の上半分の領域には、液晶表示パネル２１の表示部２１ａを視認可能な方形の第１開口部４と、ＬＥＤ２２を視認可能な方形の第２開口部５および第３開口部６とが、左右方向に並んで形成されている。さらに、３つのＬＥＤ挿通孔７が上ケース３の第１開口部４の下部に、左右方向に互いに離間して並んで形成されている。また、枠８が、第１開口部４、第２開口部５、第３開口部６、およびＬＥＤ挿通孔７を内包する略方形の領域を所定の深さだけ窪ませて上ケース３の前面の上半分の領域に形成されている。
【００１８】
そして、係止溝９が枠８の左右方向の両側部に上下方向に互いに所定距離離間して２つずつ凹設され、さらに係止溝１０が枠８の下側の側部の左右方向中央部に１つ凹設されている。なお、略方形の枠８内は平坦面に形成され、各係止溝９，１０が該平坦面から前面側に所定の溝高さに形成されている。係止溝９，１０の溝高さは、第１表示シート２６と保護プレート３０とを重ねた厚みに略等しくなっている。該平坦面には、第１開口部４と第２開口部５との間、および第２開口部５と第３開口部６との間に、隔壁８ａが形成されている。また、該平坦面には、ＬＥＤ挿通孔７も形成されている。
【００１９】
上ケース３の前面の下半分の領域には、押しボタン３４が配置される複数の挿通孔１１が所定の位置関係で形成されている。また、雌ねじが形成された複数の取付用脚部１２が上ケース３の裏面に立設されている。さらに、先端に係止孔１３ａを有する係止片１３が上ケース３の上下の両側辺の内壁面から裏面側に２つずつ延設されている。さらにまた、回路基板固定用係止爪１４が上ケース３の裏面に、上下方向に離間して、かつ左右の両側面の内壁面に沿って２つずつ立設されている。
【００２０】
下ケース１５は、上ケース３の裏面側開口を塞口する形状の樹脂成型品である。配線挿通口１６が下ケース１５の中央部に穿設され、内面に係止突起１７ａを有する係止溝１７が上ケース３に延設された係止片１３のそれぞれと対応するように下ケース１５に凹設されている。そして、下ケース１５は、係止溝１７に係止片１３を嵌め込んで係止孔１３ａと係止突起１７ａとによるスナップフィット結合方式により上ケース３に取り付けられる。
【００２１】
第１回路基板２０は、液晶表示パネル２１、各種のＬＥＤ２２、スイッチ２３などが表面側に実装され、信号線３５が接続される入出力端子台２４が裏面中央に実装されている。そして、第１回路基板２０には、液晶表示パネル２１やＬＥＤ２２の駆動回路、スイッチ２３や信号線３５を介して入力される各種信号に基づいて駆動回路の駆動を制御する制御回路などが実装されている。この第１回路基板２０は、上ケース３内に裏面側から収納されて回路基板固定用係止爪１４のスナップフィット結合により位置決め固定され、取付ねじ２５を取付用脚部１２の雌ねじに締着して上ケース３に取り付けられる。
【００２２】
液晶表示パネル２１は、７セグメント表示やドットマトリックス表示により情報を文字表示するように構成され、表示部２１ａが第１開口部４から視認可能に第１回路基板２０に実装されている。
ＬＥＤ２２は、第２および第３開口部５，６から各列の５個のＬＥＤ２２を視認できるように２列５行に配列されて第１回路基板２０に実装されている。
スイッチ２３は、上ケース３に形成された複数の挿通孔１１に相対するように第１回路基板２０に実装されている。
【００２３】
第１表示シート２６は、図３に示されるように、上述の枠８の内形形状に一致する略方形の外形形状に作製された透明プラスチックシートであり、係止片２７が、枠８に形成された係止溝９に対応するように、左右方向の両側辺に上下方向に互いに所定距離離間して２つずつ突設されている。また、第１表示シート２６は、液晶表示パネル２１の表示部２１ａに対応する方形の文字表示窓２８、および２列５行に配列されたＬＥＤ２２に対応する円形のＬＥＤ表示窓２９を除く領域が遮蔽されるように印刷されている。さらに、「ＡＬＡＲＭ」、「ＴＲＯＵＢＬＥ」などの地区状態代表表示４４および「ＡＣ  ＰＯＷＥＲ」、「ＢＡＴＴＥＲＹ  ＴＲＯＵＢＬＥ」などのシステム状態表示４５が対応するＬＥＤ表示窓２９に隣接して第１表示シート２６に印刷され、ＬＥＤ２２とともに地区状態代表表示部４１およびシステム状態表示部４２を構成している。
【００２４】
第１表示シート２６は、撓ませて係止片２７を枠８に形成された係止溝９に挿入して上ケース３に装着される。このとき、液晶表示パネル２１の表示部２１ａが文字表示窓２８から視認され、ＬＥＤ２２が各ＬＥＤ表示窓２９から視認される。なお、第１開口部４と第２開口部５との間の隔壁８ａ、および第２開口部５と第３開口部６との間の隔壁８ａは、第１表示シート２６により遮蔽されており、文字表示窓２８からの表示部２１ａの視認、ＬＥＤ表示窓２９からのＬＥＤ２２の視認には何ら影響を及ぼさない。また、ＬＥＤ挿通孔７は第１表示シート２６により遮蔽されている。
【００２５】
保護プレート３０は、枠８の内形形状に一致する略方形の外形形状に作製された透明プラスチックシートであり、係止片３１が、枠８に形成された係止溝９に対応するように、左右方向の両側辺に上下方向に互いに所定距離離間して２つずつ突設され、さらに係止片３２が、枠８に形成された係止溝１０に対応するように、下側の側辺の左右方向中央部に１つ突設されている。そして、保護プレート３０は、撓ませて係止片３１，３２を枠８に形成された係止溝９，１０に挿入し、第１表示シート２６の上に重なって上ケース３に装着される。
【００２６】
メンブレンシート３３は、スイッチ２３の機能表示が上ケース３に形成された挿通孔１１のそれぞれに対応するように印刷されている。そして、メンブレンシート３３は、押しボタン３４が挿通孔１１のそれぞれに収納された上ケース３の前面の下半分の領域に貼り付けられる。そして、メンブレンシート３３、押しボタン３４、スイッチ２３が操作部４３を構成している。なお、メンブレンシート３３に印刷された機能表示部がスイッチ位置を明示している。
【００２７】
このように構成された表示盤１は、火災受信機と信号線３５を介して接続され、管理室などに設置される。そして、建物の各地区に設置された火災感知器（図示せず）が火災を検知すると、火災の検知信号が信号線３５を介して表示盤１に入力され、火災地区および火災発生が液晶表示パネル２１の表示部２１ａに表示される。同時に、「ＡＬＡＲＭ」の地区状態代表表示４４に隣接するＬＥＤ表示窓２９のＬＥＤ２２が点灯し、火災の発生を光で報知する。さらに、ブザー（図示せず）が鳴り、異常の発生を音で報知する。これにより、管理室の係員は、ブザーにより異常の発生を認識し、ＬＥＤ２２の点灯から火災の発生を確認し、液晶表示パネル２１の文字表示から火災地区および火災発生などの詳細を確認することになる。
【００２８】
そして、火災の鎮火後、係員が操作部４３の「ＳＹＳＴＥＭ  ＲＥＳＥＴ」（図示せず）を押すと、当該信号が火災受信機に送信され、火災などの火災受信機内部の状態がクリアされる。
また、例えば、火災受信機の接地不良が発生すると、火災受信機から異常信号が表示盤１に送信され、「ＧＲＯＵＮＤ  ＦＡＵＬＴ」のシステム状態表示４５に隣接するＬＥＤ表示窓２９のＬＥＤ２２が点灯し、係員が接地不良を認識することになる。
【００２９】
実施の形態２．
図６はこの発明の実施の形態２に係る表示盤を示す斜視図、図７はこの発明の実施の形態２に係る表示盤の第２表示シートおよび保護プレートを取り外した状態を示す斜視図、図８はこの発明の実施の形態２に係る表示盤の第２表示シートを示す正面図、図９はこの発明の実施の形態２に係る表示盤を表面側から見た分解斜視図であり、各図において、図１乃至図５に示した実施の形態１による表示盤１と同一または相当部分には同一符号を付し、その説明を省略する。
【００３０】
図６において、表示盤５０は、建物に区分けされた各地区を印刷などにより表示し、表示された地区ごとに表示窓および地区表示灯としての動作表示灯を備えさせ、地区ごとの状態をそれぞれ対応する表示窓および動作表示灯を用いて区別して窓表示（地区別表示）する地区窓表示方式を採用しており、地区表示部５１、地区状態表示部５２、システム状態表示部５３、地区状態代表表示部７０が表示盤５０の前面の上半分の領域に構成され、操作部４３が表示盤５０の前面の下半分の領域に構成されている。
【００３１】
なお、システム状態表示部５３と地区状態代表表示部７０とは、いずれかの地区で前記状態が発生していることを示す代表表示など、システム全体に発生している各種の状態を代表表示する部位であり、両者で「状態代表表示部」を構成する。
【００３２】
ここで、地区表示部５１とは、情報が印刷や手書きにより表示される部位であり、情報とは、建物に区分けされた地区名である。地区状態表示部５２とは、地区表示部５１に表示された地区の状態、例えば「ＡＬＡＲＭ」（火災の発生）、「ＴＲＯＵＢＬＥ」（火災感知器などの機器の故障）などを動作表示灯の点灯により報知する部位である。地区状態代表表示部７０とは、いずれかの地区で前記状態が発生していることを示す地区状態代表表示を行う部位であり、「ＴＲＯＵＢＬＥ」（火災感知器などの機器の故障）などを代表表示灯としての動作表示灯の点灯により報知する。システム状態表示部５３とは、火災受信機、即ちシステムの状態を代表表示灯としての動作表示灯の点灯により報知する部位である。例えば、「ＡＣ  ＰＯＷＥＲ」は火災受信機が交流電源動作時に点灯し、予備電源動作時に消灯し、「ＧＲＯＵＮＤ  ＦＡＵＬＴ」は火災受信機の接地不良時に点灯する。操作部４３とは、火災受信機の動作などの設定などを行う部位である。
【００３３】
なお、「状態代表表示部」としての地区状態代表表示部７０とシステム状態表示部５３とは、その各種状態に対応した表示数を、必要に応じて増減してもよいし、また、必要に応じて省略してもよい。
【００３４】
表示盤５０は、図６乃至図９に示されるように、動作表示灯としてのＬＥＤ２２、操作部４３を構成するスイッチ２３などが実装された第２回路基板５４と、第２回路基板５４を収納する筐体２と、筐体２に着脱可能に装着され、ＬＥＤ２２の点灯を視認可能に構成された第２表示シート５５と、第２表示シート５５に重ねて筐体２に着脱可能に装着され、第２表示シート５５を保護する保護プレート３０と、筐体２に貼り付けられてスイッチ２３の機能表示をしてスイッチ位置を明示するメンブレンシート３３と、を備えている。
【００３５】
第２回路基板５４は、第１回路基板２０と同等の外形形状に作製され、各種のＬＥＤ２２、スイッチ２３などが表面側に実装され、信号線３５が接続される入出力端子台２４が裏面中央に実装されている。そして、第２回路基板５４には、ＬＥＤ２２の駆動回路、スイッチ２３や信号線３５を介して入力される各種信号に基づいて駆動回路の駆動を制御する制御回路などが実装されている。この第２回路基板５４は、上ケース３内に裏面側から収納されて回路基板固定用係止爪１４のスナップフィット結合により位置決め固定され、取付ねじ２５を取付用脚部１２の雌ねじに締着して上ケース３に取り付けられる。
【００３６】
ＬＥＤ２２は、第１開口部４から３列６行に配列された地区表示灯としてのＬＥＤ２２を視認でき、第２および第３開口部５，６から各列の６個の地区表示灯としてのＬＥＤ２２を視認できるように５列６行に配列されて第２回路基板５４に実装されている。さらに、代表表示灯としてのＬＥＤ２２が、上ケース３の第１開口部４の下部に形成された３つのＬＥＤ挿通孔７から視認できるように３列１行に配列されて第２回路基板５４に実装されている。
【００３７】
第２表示シート５５は、図８に示されるように、枠８の内形形状に一致する略方形の外形形状に作製された透明プラスチックシートであり、係止片２７が、枠８に形成された係止溝９に対応するように、左右方向の両側辺に上下方向に互いに所定距離離間して２つずつ突設されている。また、第２表示シート５５は、５列６行に配列されたＬＥＤ２２に対応する円形のＬＥＤ表示窓２９、および３列１行に配列されたＬＥＤ２２に対応する円形のＬＥＤ表示窓５６を除く領域が遮蔽されるように印刷されている。さらに、左側の「ＡＬＡＲＭ」、「ＴＲＯＵＢＬＥ」の地区状態表示５７および下側中央の「ＴＲＯＵＢＬＥ」の地区状態代表表示７１、下側左右の「ＡＣ  ＰＯＷＥＲ」、「ＧＲＯＵＮＤ  ＦＡＵＬＴ」のシステム状態表示５８が対応するＬＥＤ表示窓５６，５６に隣接して第２表示シート５５に印刷され、ＬＥＤ２２とともに地区状態表示部５２、地区状態代表表示部７０およびシステム状態表示部５３を構成している。
【００３８】
第２表示シート５５は、撓ませて係止片２７を枠８に形成された係止溝９に挿入して上ケース３に装着される。このとき、ＬＥＤ２２が各ＬＥＤ表示窓２９，５６から視認される。さらに、保護プレート３０が、撓ませて係止片３１，３２を枠８に形成された係止溝９，１０に挿入し、第１表示シート２６の上に重なって上ケース３に装着される。なお、第１開口部４と第２開口部５との間の隔壁８ａ、および第２開口部５と第３開口部６との間の隔壁８ａは、第２表示シート５５に遮蔽されており、ＬＥＤ表示窓２９，５６からのＬＥＤ２２の視認には何ら影響を及ぼさない。
【００３９】
このように構成された表示盤５０は、火災受信機と信号線３５を介して接続され、管理室などに設置される。そして、建物の各地区に設置された火災感知器（図示せず）が火災を検知すると、火災の検知信号が信号線３５を介して表示盤５０に入力される。そこで、該当する火災地区を表示する地区表示部５１に隣接し、「ＡＬＡＲＭ」の地区状態表示５７の行に位置するＬＥＤ表示窓２９のＬＥＤ２２が点灯し、火災の発生を光で報知する。さらに、ブザー（図示せず）が鳴り、異常の発生を音で報知する。これにより、管理室の係員は、ブザーにより異常の発生を認識し、ＬＥＤ２２の点灯から火災の発生および火災発生地区を確認することになる。
【００４０】
ここで、地区状態代表表示部７０として、「ＡＬＡＲＭ」（火災の発生）を動作表示灯（ＬＥＤ２２）の点灯により報知する構成としてもよく、その場合は、地区状態表示５７の表示と同時に、地区状態代表表示７１の「ＡＬＡＲＭ」に隣接するＬＥＤ表示窓５６のＬＥＤ２２も点灯させることができる。
【００４１】
そして、火災の鎮火後、係員が操作部４３の「ＳＹＳＴＥＭ  ＲＥＳＥＴ」（図示せず）を押すと、当該信号が火災受信機に送信され、火災などの火災受信機内部の状態がクリアされる。
また、例えば、火災受信機の接地不良が発生すると、火災受信機から異常信号が表示盤５０に送信され、「ＧＲＯＵＮＤ  ＦＡＵＬＴ」のシステム状態表示５８に隣接するＬＥＤ表示窓５６のＬＥＤ２２が点灯し、係員が接地不良を認識することになる。
【００４２】
つぎに、既設の地区文字表示方式を採用する表示盤１の表示方式を地区窓表示方式に更新する場合について説明する。
まず、係止片１３と係止溝１７とのスナップフィット結合を解除し、信号線３５を入出力端子台２４から外す。ついで、取付ねじ２５を取り外し、回路基板固定用係止爪１４とのスナップフィット結合を解除して、第１回路基板２０を上ケース３から取り外す。さらに、係止片３１，３２を係止溝９，１０から引き抜き、保護プレート３０を枠８から取り外し、係止片２７を係止溝９から引き抜き、第１表示シート２６を枠８から取り外す。
【００４３】
ついで、第２表示シート５５を枠８に装着し、保護プレート３０を枠８に装着する。ついで、第２回路基板５４を上ケース３内に裏面側から収納し、回路基板固定用係止爪１４にスナップフィット結合させ、取付ねじ２５を取付用脚部１２の雌ねじに締着して上ケース３に取り付ける。そして、信号線３５を入出力端子台２４に接続し、上ケース３を下ケース１５側に押して、係止片１３を係止溝１７に挿入し、係止孔１３ａと係止突起１７ａとをスナップフィット結合させ、地区窓表示方式に更新された表示盤５０が得られる。
【００４４】
この発明によれば、第１開口部４、第２開口部５、第３開口部６、およびＬＥＤ挿通孔７からなる開口は、予め、地区文字表示方式に適用される第１回路基板２０に実装された液晶表示パネル２１の表示部２１ａ、および状態代表表示用（地区状態代表表示用およびシステム状態表示用）のＬＥＤ２２を視認可能に、かつ地区窓表示方式に適用される第２回路基板５４に実装された地区状態表示用および状態代表表示用（地区状態代表表示用およびシステム状態表示用）のＬＥＤ２２を視認可能に上ケース３の前面に形成されている。
そこで、上ケース３を地区文字表示方式と地区窓表示方式とに兼用でき、表示方式ごとに専用の筐体２を作製する必要がなくなる。これにより、両表示方式の筐体２を作製する金型の共用化が図られ、製造コストおよび管理コストが削減することができる。
【００４５】
なお、地区窓表示方式として、状態代表表示用（地区状態代表表示用およびシステム状態表示用）のＬＥＤ２２は必要に応じて省略してもよく、その場合は、開口としてのＬＥＤ挿通孔７を省略することができる。また、地区文字表示方式において、状態代表表示用（地区状態代表表示用およびシステム状態表示用）のＬＥＤ２２として、地区状態代表表示用のＬＥＤ２２（「ＡＬＡＲＭ」、「ＴＲＯＵＢＬＥ」など、地区に関連するＬＥＤ２２）のみとしてもよく、その場合は、削減されたＬＥＤ２２の数に合わせて、例えば第３開口部６を省略してもよい。このように構成した場合、地区文字表示方式において、地区状態代表表示用のＬＥＤ２２（「ＡＬＡＲＭ」、「ＴＲＯＵＢＬＥ」など、地区に関連するＬＥＤ２２）を第２開口部５内に設けるようにすれば開口として、第１開口部４、第２開口部５のみを上ケース３に設けるようにした場合であっても、地区文字表示方式と地区窓表示方式とに兼用できる。
【００４６】
また、第１開口部４、第２開口部５、および第３開口部６が互いに分離されて上ケース３の前面に形成されているので、第１開口部４と第２開口部５との間の隔壁８ａ、および第２開口部５と第３開口部６との間の隔壁８ａが枠８内の平坦面などの補強材として作用し、第１開口部４、第２開口部５、および第３開口部６を設けることに起因する上ケース３の強度の低下が抑えられる。
また、隔壁８ａが第１開口部４と第２開口部５との間、および第２開口部５と第３開口部６との間に存在しているので、第１および第２表示シート２６，５５および保護プレート３０を撓みなく枠８に装着できる。
【００４７】
さらに、地区文字表示方式の液晶表示パネル２１の表示部２１ａおよびＬＥＤ２２を視認できる文字表示窓２８およびＬＥＤ表示窓２９を備える第１表示シート２６、および地区窓表示方式のＬＥＤ２２を視認できるＬＥＤ表示窓２９，５６を備える第２表示シート５５が上ケース３に着脱可能に装着されるので、既設の表示盤１、５０の表示方式を更新する際には、第１および第２回路基板２０，５４および第１および第２表示シート２６，５５を交換するだけでよく、更新コストが削減される。
また、上ケース３と下ケース１５とがスナップフィット結合方式により固定されているので、上ケース３と下ケース１５との着脱が簡易となり、表示盤１，５０の組立作業および更新作業が簡易となる。
【００４８】
なお、上記説明では、地区文字表示方式と地区窓表示方式とが同じスイッチ配列の操作部を用いるものとしているが、表示方式ごとに、操作部のスイッチ配列が異なるものでもよい。この場合、表示方式ごとに、回路基板に実装されるスイッチの配列も異なっている。そこで、既設の表示盤の表示方式を更新する際には、メンブレンシートを剥がし、押しボタンの挿入孔への挿入位置を変え、適合するスイッチの機能表示が印刷されたメンブレンシートを上ケースに貼り付けることになる。
【００４９】
また、上記説明では、地区文字表示方式では、文字表示部を液晶表示パネルの表示部で構成するものとしているが、液晶表示パネルに代えて、７セグメント表示やドットマトリックス表示のＬＥＤ表示パネルを用いてもよい。
また、上記説明では、液晶表示パネルおよびＬＥＤを視認可能に上ケースに形成される開口が第１開口部、第２開口部、および第３開口部から構成されているものとしているが、液晶表示パネルおよびＬＥＤを視認可能に上ケースに形成される開口を単一の開口部で構成してもよい。なお、表示シートの撓みを考慮すれば、液晶表示パネルおよびＬＥＤを視認可能に上ケースに形成される開口は複数の開口部に分割されていることが望ましい。
【００５０】
また、上記説明では、上ケースの前面を窪ませて方形の枠を形成するものとしているが、方形の枠を上ケースの前面に突設してもよい。
また、上記説明では、表示盤を火災受信機の火災表示機に適用するものとしているが、本表示盤は、スプリンクラ消火設備の動作階表示器、防犯システムの防犯地区表示器などに適用できる。
【符号の説明】
【００５１】
１，５０  表示盤、２  筐体、３  上ケース、４  第１開口部（開口）、５  第２開口部（開口）、６  第３開口部（開口）、８  枠、１５  下ケース、２０  第１回路基板、２１  液晶表示パネル、２１ａ  表示部、２２  ＬＥＤ（動作表示灯）、２６  第１表示シート、２８  文字表示窓、２９  ＬＥＤ表示窓、３０  保護プレート、５４  第２回路基板、５５  第２表示シート、５６  ＬＥＤ表示窓。
【図１】
2011086173.tif 000003
【図２】
2011086173.tif 000004
【図３】
2011086173.tif 000005
【図４】
2011086173.tif 000006
【図５】
2011086173.tif 000007
【図６】
2011086173.tif 000008
【図７】
2011086173.tif 000009
【図８】
2011086173.tif 000010
【図９】
2011086173.tif 000011